(57)【要約】【課題】  簡単な構成にてエアフィルタに付着した塵埃を手間を要せずに集塵除去できる空気調和機を提供する。【解決手段】  前面パネル５に設けた吸い込みグリル６と熱交換器４との間に円盤状のエアフィルタ１２を配設し、このエアフィルタ１２をその中心周りに回転自在に保持するトレイ１３を設け、エアフィルタ１２の外周部に形成された歯車１２ｂを介してエアフィルタ１２を駆動する駆動装置１５とエアフィルタ１２に付着した塵埃を吸引する吸引ノズル２０と吸引ノズル２０に接続され塵埃の捕集機能を有する吸引装置２２とを設け、エアフィルタ１２の清掃作業を容易にした。【選択図】      図１
2008134056.tif 000002
【特許請求の範囲】
【請求項１】
熱交換器と送風機等とを収納する筐体と、該筐体の下方に装着される前面パネルと、前記熱交換器と前記前面パネルとの間に配置され、円盤状であって該円盤の中心周りに回転自在に保持されたエアフィルタと、前記前面パネルと前記エアフィルタとの間に配設されるとともに前記エアフィルタを保持するトレイと、前記エアフィルタに付着した塵埃を捕集するユニットと、前記エアフィルタからの塵埃を前記ユニットに導くダクトとを有し、前記ダクトは前記エアフィルタの外周側で前記ユニットに連なり、且つ前記エアフィルタを回転駆動する駆動装置は前記エアフィルタの外周部に設けたことを特徴とする空気調和機。
【請求項２】
前記エアフィルタの円周上に第１の歯車を設け、前記第１の歯車にかみ合う第２の歯車を駆動装置に設け、該駆動装置により前記エアフィルタを回転駆動させることを特徴とする請求項１に記載の空気調和機。
【請求項３】
前記第１の歯車は、前記エアフィルタの一方の面の円周上に設けられていることを特徴とする請求項２記載の空気調和機。
【発明の詳細な説明】
【技術分野】
【０００１】
本発明は、空気吸入口にエアフィルタを備えた空気調和機に関するものである。
【背景技術】
【０００２】
従来の空気調和機は、図６に示すように、空気調和機の筐体３１の内部の略中央部に送風機３２とその駆動モータ３３が配設され、送風機３２の外側に熱交換器３４が配設され、筐体３１の前面には吸い込みグリル３６を有する前面パネル３５が装着され、前面パネル３５と送風機３２との間にはエアガイダー３７が配設されている。空気は送風機３２によって吸い込みグリル３６から吸い込まれ、エアガイダー３７を介して熱交換器３４に送給される。熱交換器３４で熱交換された空気は前面パネル３５の吸い込みグリル３６の外側に形成された吹き出し口３８から吹き出される。３９は、吹き出し口３８に配設された風向変更羽根である。そして、吸入された空気に含まれる塵埃が空気調和機の内部に入り込むのを防止するエアフィルタ４０が、前面パネル３５の吸い込みグリル３６の内側に着脱可能に装着され、付着した塵埃を定期的に清掃できるように成されている。
【０００３】
また、エアフィルタ５の清掃を容易に行えるようにした空気調和機のエアフィルタ装置も種々知られている（例えば、特許文献１や特許文献２参照。）。
【特許文献１】特開平１１−２２６３３１号公報
【特許文献２】特開平６−７４５２１号公報
【発明の開示】
【発明が解決しようとする課題】
【０００４】
しかしながら、上記のような公知のエアフィルタ４０の配置構成では、空気調和機の使用頻度に応じて空気調和機よりエアフィルタ４０を取り外し、水洗い若しくは掃除機などで付着した塵埃を掃除するという定期的にメンテナンス作業を要するものである。特に、天井に埋め込むタイプでは非常な手間と労力を必要とするという問題がある。また、定期的にメンテナンスがなされなかった場合、エアフィルタ４０に塵埃が堆積し、吸い込み空気の通気抵抗が増大するため、空気調和機の性能が低下し、消費電力が増大するという問題があった。
【０００５】
一方、上記特許文献に記載された空気調和機では、ブラシを備えた吸引装置が広範囲に移動して塵埃を吸引除去するもの、あるいはベルト状のフィルタを備えたものであり、構成が複雑になるという問題がある。
【０００６】
本発明は、上記従来の問題点に鑑み、簡単な構成にてエアフィルタに付着した塵埃を手間を要せずに集塵除去できる空気調和機を提供することを課題とする。
【課題を解決するための手段】
【０００７】
本発明の空気調和機は、熱交換器と送風機等とを収納する筐体と、該筐体の下方に装着される前面パネルと、前記熱交換器と前記前面パネルとの間に配置され、円盤状であって該円盤の中心周りに回転自在に保持されたエアフィルタと、前記前面パネルと前記エアフィルタとの間に配設されるとともに前記エアフィルタを保持するトレイと、前記エアフィルタに付着した塵埃を捕集するユニットと、前記エアフィルタからの塵埃を前記ユニットに導くダクトとを有し、前記ダクトは前記エアフィルタの外周側で前記ユニットに連なり、且つ前記エアフィルタを回転駆動する駆動装置は前記エアフィルタの外周部に設けたものである。
【０００８】
また、本発明の空気調和機は、エアフィルタの円周上に第１の歯車を設け、前記第１の歯車にかみ合う第２の歯車を駆動装置に設け、該駆動装置により前記エアフィルタを回転駆動させるものである。
【０００９】
また、本発明の空気調和機は、第１の歯車を、エアフィルタの一方の面の円周上に設けたものである。
【発明の効果】
【００１０】
本発明の空気調和機によれば、ダクトをエアフィルタの外周側で塵埃を捕集するユニットに連ならせ、円盤状のエアフィルタを回転駆動する駆動装置を前記エアフィルタの外周部に設けたことでエアフィルタに付着した塵埃を簡単な構成にて手間を要せずに集塵除去することができる。
【発明を実施するための最良の形態】
【００１１】
以下、本発明の空気調和機の一実施形態について、図１〜図４を参照して説明する。
【００１２】
図１において、本実施形態の空気調和機は天井配置型で、空気を吸い込み、吹き出す前面が下向きに設置されるものである。空気調和機の筐体１の内部の略中央部には送風機２とその駆動モータ３が配設され、送風機２の外側に熱交換器４が配設され、筐体１の前面には吸い込みグリル６を有する前面パネル５が装着されている。前面パネル５と送風機２との間には筐体１に一体結合されたエアガイダー７が配設されている。
【００１３】
空気は、吸い込みグリル６から吸い込まれてエアガイダー７を介して送風機２によって熱交換器４に送給され、熱交換器４で熱交換された空気は、前面パネル５の吸い込みグリル６の外側に形成された吹き出し口８から吹き出される。吹き出し口８には、風向変更羽根９が配設され、熱交換器４から吹き出し口８に至る内壁面には結露防止用の断熱材１０が配設され、熱交換器４の下方、即ち前面パネル５側にはドレンパン１１が配設されている。
【００１４】
吸い込みグリル６と送風機２の間には、図２に示すように、円盤状のエアフィルタ１２がトレイ１３にて中心周りに回転自在に保持された状態で配設されている。エアフィルタ１２は、円盤状のフレームの前面にネット１２ａが張られ、フレームの外周部に歯車１２ｂが形成され、中央には図３に示すように、エアフィルタ１２の回転中心となる取付孔１２ｃが形成されている。
【００１５】
トレイ１３は略四角形をしており、エアフィルタ１２のネット１２ａに相対する部分には貫通孔が形成されている。トレイ１３には、後述の吸引ノズル２０の投影面積とほぼ同面積の遮蔽板１４がトレイ１３の外周部から中央部に向けて一体的に延設されている。遮蔽板１４の先端部には、エアフィルタ１２の取付孔１２ｃが嵌合してエアフィルタ１２を回転自在に保持する円筒状支軸部１４ａが突設されている。また、トレイ１３の一辺には、フック１３ａを備え、エアガイダー７に形成された嵌合溝７ａに嵌めることによってフック１３ａを中心に、水平な設置姿勢と下方に垂下した着脱姿勢との間で回転可能にエアガイダー７に装着されている。
【００１６】
エアフィルタ１２の駆動装置１５は、モータを内蔵し、その出力軸に固定された歯車１６がエアフィルタ１２の歯車１２ｂに噛合するようにエアガイダー７に取付孔１５ａにて締結固定されている。また、トレイ１３のフック１３ａを設けた辺と対向する辺にスライドツマミ１７が摺動可能に装着され、その爪１７ａが駆動装置１５に形成された係合穴１５ｂに挿脱可能とされ、爪１７ａを係合穴１５ｂに係合させることでトレイ１３がエアガイダー７に固定されている。この構成によって、駆動装置１５の歯車１６とトレイ１３上に配置されたエアフィルタ１２の歯車１２ｂの嵌合ピッチを確保し、ギア飛びが防止されている。さらに、駆動装置１５の歯車１６と噛合するエアフィルタ１２の歯車１２ｂの裏面側位置で、トレイ１３にローラ１８が配設され、ギア駆動部でのエアフィルタ１２とトレイ１３の摩擦力の増大が防止されている。
【００１７】
吸引ノズル２０は、スリット状の吸引開口２０ａを備え、エアフィルタ１２の前面側に対向した姿勢と下方に垂下した姿勢との間で回転可能にダクト２１に装着されている。スリット状の吸引開口２０ａはエアフィルタ１２の半径にほぼ等しい長さであり、先端がエアフィルタ１２の略中心に位置し、他端がエアフィルタ１２の外周に位置している。また、吸引ノズル２０の先端には可撓性の爪２０ｂを有し、トレイ１３の遮蔽板１４の先端の円筒状支軸部１４ａ内に嵌入係合させることで吸引ノズル２０がエアフィルタ１２の前面に対向した姿勢で保持される。
【００１８】
吸引ノズル２０はダクト２１を介してエアガイダー７に装着固定された吸引装置２２に接続されている。吸引装置２２は吸引ファンと吸引した塵埃を捕集するためのユニット（図示せず）を備え、吸引ファンを動作させることにより、エアフィルタ１２に付着した塵埃が吸引ノズル２０の吸引開口２０ａから吸引され、ダクト２１を通過し、吸引装置２２に至る。
【００１９】
以上の構成によれば、空気調和機の動作中に、必要時に駆動装置１５を作動するとともに吸引装置２２を作動させることで、エアフィルタ１２が回転するとともに、吸引ノズル２０の吸引開口２０ａからエアフィルタ１２の前面に付着した塵埃が吸引除去され、吸引装置２２内に捕集される。したがって、エアフィルタ１２に付着した塵埃を簡単な構成にて手間を要せずに集塵除去することができる。
【００２０】
また、エアフィルタ１２のメンテナス時にも、前面パネル５の吸い込みグリル６を取り外した後、吸引ノズル２０の先端の爪２０ｂを円筒状支軸部１４ａから引き抜いて吸引ノズル２０を下方に垂下した姿勢に回転させ、スライドツマミ１７を操作してその爪１７ａを駆動装置１５の係合穴１５ｂから離脱させることで、トレイ１３を水平な設置姿勢からフック１３ａ回りに下方に垂下した姿勢に回転させることができ、エアフィルタ１２を簡単に取り外すことができる。したがって、エアフィルタ１２及びその周辺部品のメンテナンスを容易に作業性良く行うことができる。
【００２１】
次に、本発明の空気調和機の他の実施形態について、図５を参照して説明する。なお、上記実施形態と同一の構成要素については、同一参照符号を付して説明を省略し、主として相違点についてのみ説明する。
【００２２】
図５において、吸引ノズル２０の吸引開口２０ａが、円盤状のエアフィルタ１２のほぼ中心を通る位置に吸引ノズル２０の長手方向に対してほぼ直角方向に形成されている。また、吸引ノズル２０の先端部がエアフィルタ１２の半径方向に移動するように吸引ノズル２０が回転可能に構成されている。
【００２３】
このような構成において、エアフィルタ１２が１回転する間にエアフィルタ１２の中心部の塵埃が吸引され、次に吸引ノズル２０が回転して吸引開口２０ａがエアフィルタ１２の中心から外周に向かって吸引開口２０ａの長さに相当する距離を移動し、次のエアフィルタ１２の回転により塵埃を吸引する。この動作を繰り返し、エアフィルタ１２の中心部から外周部まで塵埃が吸引除去される。
【００２４】
この実施形態によれば、吸引ノズル２０にエアフィルタ１２の半径に相当する長さの吸引開口２０ａを設けた上記実施形態に比べて、吸引開口２０ａを自由な大きさで小さくすることができ、吸引開口２０ａを小さくすることにより、吸引能力の小さい吸引ユニット２２を使用することができ、コンパクトでかつ吸引動作時の動作音の小さい吸引機構を構成することができる。
【産業上の利用可能性】
【００２５】
本発明の空気調和機は、エアフィルタを円盤状にし、トレイにて回転自在に保持したことで、エアフィルタを回転駆動し、吸引ノズルにて吸引することでエアフィルタに付着した塵埃を簡単な構成にて手間を要せずに集塵除去することができ、各種空気調和機、特に天井設置型の空気調和機に有用である。
【図面の簡単な説明】
【００２６】
【図１】本発明の一実施形態の空気調和機の断面図である。
【図２】同実施形態の空気調和機の分解斜視図である。
【図３】同実施形態の空気調和機の吸引ノズルの固定部の断面図である。
【図４】同実施形態の空気調和機のエアフィルタ駆動部の斜視図である。
【図５】本発明の他の実施形態の空気調和機における吸引ノズルの配置状態を示す斜視図である。
【図６】従来例の空気調和機の断面図である。
【符号の説明】
【００２７】
１  筐体
２  送風機
４  熱交換器
５  前面パネル
６  吸い込みグリル
７ａ  嵌合溝
１２  エアフィルタ
１２ｂ  歯車
１３  トレイ
１３ａ  フック
１４  遮蔽板
１４ａ  円筒状支軸部
１５  駆動装置
１５ｂ  係合穴
１６  歯車
１７  スライドツマミ
１８  ローラ
２０  吸引ノズル
２０ａ  吸引開口
２０ｂ  爪
２１  ダクト
２２  吸引装置
【図１】
2008134056.tif 000003
【図２】
2008134056.tif 000004
【図３】
2008134056.tif 000005
【図４】
2008134056.tif 000006
【図５】
2008134056.tif 000007
【図６】
2008134056.tif 000008